(57)【特許請求の範囲】
【請求項１】
筐体の前面に設けられた吸込口と、この吸込口に隣接する前記前面に着脱可能に取り付けられるフロントパネルと、
前記吸込口の奥の筐体内に配置され空気中の大きな塵埃を捕捉するプレフィルタと、
このプレフィルタを通過した空気中の小さな塵埃を集塵する電気集塵ユニットと、
この電気集塵ユニットを通過した空気を光脱臭ランプからの光によって光触媒フィルタ中に含まれる光触媒を励起させて脱臭する光触媒脱臭ユニットと、
前記吸込口，前記プレフィルタ，前記電気集塵ユニット，前記光触媒脱臭ユニット，および排出口を通過する空気流を作り出す送風機と、
前記吸込口に前記プレフィルタを防護するように着脱可能に配設され前記筐体に取り付けられた前記フロントパネルに規制されて前記吸込口から取り外し不能となるフロントグリルと
を有することを特徴とする喫煙用空気清浄機。
【請求項２】
前記フロントグリルが、水平金属棒と垂直金属棒とにより格子状に形成され、前記垂直金属棒の上端部が前記吸込口の開口上壁に穿設された穴に嵌入され、前記垂直金属棒の下端部が前記吸込口の開口下壁に穿設された穴にそれぞれ嵌入されて配置されており、前記フロントパネルにより前方への移動を規制され、前記プレフィルタにより後方への移動を規制されている請求項１記載の喫煙用空気清浄機。
【請求項３】
前記フロントパネルが、該フロントパネルに設けられた回転軸および該回転軸に取り付けられた係止片と、前記吸込口近傍に形成された被係止部とからなるパネルロック機構により前記筐体に固定されるようになっている請求項１記載の喫煙用空気清浄機。
【発明の詳細な説明】
【０００１】
【発明の属する技術分野】
本発明は喫煙用空気清浄機に関し、さらに詳しくは事務所，待合室，カラオケルーム等の分煙対策のためにテーブルサイドやデスクサイドに設置されて好適な喫煙用空気清浄機に関する。
【０００２】
【従来の技術】
喫煙によって生じる煙草の煙には、ニコチン，タール（ヤニ），一酸化炭素，窒素酸化物，アンモニアの他、ベンツピレン等の発癌性物質が多数含まれている。また、室内の浮遊粉塵の主な発生源となる。特に、置き煙草などから発生する副流煙には、喫煙者が吸い込む主流煙に比べて、数倍の有害物質が含まれていることが判っており、非喫煙者にも健康被害をもたらすことから受動喫煙として問題となっている。また、煙草の煙の不快感からくるストレスにより、仕事の効率やコミュニケーションにも悪影響を及ぼしている。このため、近年、厚生省，労働省等の喫煙に伴う分煙対策勧告により、煙草の煙を含む空気を吸引して清浄化する喫煙用空気清浄機の設置が事務所等で進んでいる。
【０００３】
従来、この種の喫煙用空気清浄機としては、テーブル型，カウンタ型，灰皿スタンド型などがあったが、テーブル型やカウンタ型は空気清浄機がテーブルやカウンタに一体的に組み込まれており、大型であるので設置スペースを必要とするとともに高価であった。また、灰皿スタンド型は、空気清浄機が灰皿スタンドに一体的に組み込まれたもので、小型ではあるが、その分、空気清浄能力が劣るものであった。このため、テーブルサイドやデスクサイドに設置して使用する十分な空気清浄機能を有する喫煙用空気清浄機が求められていた。
【０００４】
また、従来の喫煙用空気清浄機は、吸込口がカバー等により覆われていて、筐体内に配設されているプレフィルタや内部機構が保護されるようになっていたが、カバー等が吸込口に合わせてただ置いてあるだけだったり、単に穴に差し込むだけだったりという簡単な取り付け構造であったので、カバー等を使用者が簡単に取り外すことが可能であった。
【０００５】
【発明が解決しょうとする課題】
上述した従来の喫煙用空気清浄機には、テーブルやカウンタとは別体でテーブルサイドやデスクサイドに設置して使用する十分な空気清浄機能を有するものが提供されていないという問題点があった。
【０００６】
また、従来の喫煙用空気清浄機では、筐体内に配設されているプレフィルタを保護するカバー等が使用者により簡単に取り外すことができるものであったので、カバー等が取り外されてプレフィルタにタバコの火が押し付けられたり、ゴミを投げ入れられたりした場合には、空気清浄機能が十分に発揮できないばかりでなく、故障や発火の原因にもなるという問題点があった。
【０００７】
さらに、カバー等が取り外された場合に、プレフィルタが外れて使用者が筐体内部に手を入れると、高電圧を使用する電気集塵ユニット，ファンが高速回転する送風機等が収納されているので、大変危険であるという問題点があった。
【０００８】
このため、逆に、カバー等をねじ，溶接，接着等により喫煙用空気清浄機に固定してしまうことも考えられるが、このようにした場合にはプレフィルタや内部機構のメンテナンス時に邪魔になり、十分な清掃が行えないという問題点がある。
【０００９】
本発明の目的は、上述の点に鑑み、テーブルやカウンタとは別体にテーブルサイドやデスクサイドに設置して使用でき、かつ十分な空気清浄機能を有する喫煙用空気清浄機を提供することにある。
【００１０】
また、本発明の他の目的は、吸込口にプレフィルタを防護するように着脱可能に設けられたフロントグリルを筐体へのフロントパネルの装着に連動して取り外し不能となるようにした喫煙用空気清浄機を提供することにある。
【００１１】
【課題を解決するための手段】
本発明の喫煙用空気清浄機は、筐体の前面に設けられた吸込口と、この吸込口に隣接する前記前面に着脱可能に取り付けられるフロントパネルと、前記吸込口の奥の筐体内に配置され空気中の大きな塵埃を捕捉するプレフィルタと、このプレフィルタを通過した空気中の小さな塵埃を集塵する電気集塵ユニットと、この電気集塵ユニットを通過した空気を光脱臭ランプからの光によって光触媒フィルタ中に含まれる光触媒を励起させて脱臭する光触媒脱臭ユニットと、前記吸込口，前記プレフィルタ，前記電気集塵ユニット，前記光触媒脱臭ユニット，および排出口を通過する空気流を作り出す送風機と、前記吸込口に前記プレフィルタを防護するように着脱可能に配設され前記筐体に取り付けられた前記フロントパネルに規制されて前記吸込口から取り外し不能となるフロントグリルとを有することを特徴とする。
【００１２】
【発明の実施の形態】
以下、本発明の実施の形態について図面を参照して説明する。
【００１３】
図１，図２，図３および図４は、本発明の一実施の形態に係る喫煙用空気清浄機を示す側断面，正面斜視図，フロントパネル開放正面図および上面図である。本実施の形態に係る喫煙用空気清浄機は、筐体１と、筐体１を支持する２本のスタンド２と、筐体１の正面上端部寄りに設けられた吸込口３と、吸込口３にプレフィルタ５を防護するように配設されたフロントグリル４と、吸込口３の奥の筐体１内にやや斜めに傾けられて配置されたプレフィルタ５と、筐体１の吸込口３を除く前面に着脱可能に取り付けられたフロントパネル６と、フロントパネル６の中央上端寄りに設けられたパネルロック機構７と、吸込口３の下位近傍に水平に配置されたフロントガイド８と、プレフィルタ５の下位に配設された電気集塵ユニット１１と、電気集塵ユニット１１の下位に配設された光触媒脱臭ユニット１２と、光触媒脱臭ユニット１２の下位に配設された送風機１３と、筐体１の背面壁の下端寄りに穿設された多数の透孔でなる吹出口１４と、筐体１の上面に設けられた操作パネル１５とから、その主要部が構成されている。
【００１４】
筐体１は、縦長の直方体状に形成され、下面壁を２本のスタンド２で支持されて、テーブルサイドあるいはデスクサイドの床に設置されるようになっている。したがって、設置面積が少なくて済むようになっている。なお、筐体１の両側面の上端寄りには、喫煙用空気清浄機を持つための取手１ａ，１ｂが設けられている。
【００１５】
吸込口３は、筐体１の正面上端部寄りに設けられていて、フロントグリル４が嵌め込まれているとともに、フロントグリル４の奥には後方に向けて徐々に立ち上がるようにやや傾けられてプレフィルタ５が配置されている。
【００１６】
フロントグリル４は、３本の水平金属棒と、２本の垂直金属棒とをスポット溶接することにより横格子状に形成されている。なお、横格子の１つの大きさは、手を入れることができない程度の大きさに設定されている。２本の垂直金属棒の上端部および下端部は、上位の水平金属棒および下位の水平金属棒から延出されており、図１に示すように、上端部は吸込口３の傾斜開口上壁に穿設された穴にそれぞれ嵌入され、下端部は吸込口３の下位近傍に水平に配置されたフロントガイド８に穿設された穴にそれぞれ嵌入されている。ただし、吸込口３の傾斜開口上壁に穿設された穴には、フロントガイド８に穿設された穴の深さより長い余裕が設けられており、フロントグリル４を手で持って上に持ち上げると、フロントグリル４は上方に変位し、２本の垂直金属棒の下端部はフロントガイド８に穿設された穴から抜け出すことができるようになっている。
【００１７】
プレフィルタ５は、周囲を金属フレームで覆われたステンレス鋼線製の平織金網で形成されていて、空気中の大きな塵埃を捕捉するとともに、外部からの異物の侵入を防止する役目をする。プレフィルタ５をステンレス製としたのは、煙草の火や灰に対する耐性，灰やタール等の付着時の洗浄等を考慮したためである。プレフィルタ５は、図１に示すように、筐体１の内壁に突設された段部に載置されるように斜めに傾けられて配置され、この配置状態で前縁垂下片がフロントガイド８に契合されるようになっているとともにフロントパネル６の傾斜上端面の後縁と当接し、プレフィルタ５の表面とフロントパネル６の傾斜上端面とがほぼ面一となるようになっている。なお、図２に示すように、プレフィルタ５の前縁両隅部は切り欠かれていて、フロントグリル４の２本の垂直金属棒の下端部がフロントガイド８に穿設された穴に嵌入することを許容しているとともに、その位置から後方へは移動できないように規制している。プレフィルタ５の未挿入または方向や位置が正しくセットされていないときには、図示しないプレフィルタスイッチが作動して、喫煙用空気清浄機のすべての機能は停止し、運転ボタン１５ａ（図４参照）を押しても運転を開始しないようになっている。このとき、操作パネル１５の運転表示ランプ１５ｂ（図４参照）および風量表示ランプ１５ｄ（図４参照）は、全て消灯状態となる。
【００１８】
フロントパネル６は、ほぼ長方形板状の形状を有し、筐体１の吸込口３を除く正面壁を形成するように、筐体１に対して着脱自在に取り付けられるようになっている。フロントパネル６の上端面は、後方に向けて高くなる斜面となっており、傾斜上端面の後縁はフロントグリル４の２本の垂直金属棒の下端部がフロントガイド８に穿設された穴に嵌入している位置から前方へ移動できないように規制する役目をする。フロントパネル６は、フロントパネル６の中央上端寄りに配設されたパネルロック機構７によって筐体１に固定されるようになっている。なお、パネルロック機構７によりフロントパネル６を筐体１に固定していないときには、図示しないフロントパネルスイッチが作動して、喫煙用空気清浄機のすべての機能は停止し、運転ボタン１５ａ（図４参照）を押しても運転を開始しないようになっている。このとき、操作パネル１５の運転表示ランプ１５ｂ（図４参照）および風量表示ランプ１５ｄ（図４参照）は、全て消灯状態となる。
【００１９】
パネルロック機構７は、図５（ａ）および（ｂ）に示すように、フロントパネル６の中央上端寄りにナットによりフロントパネル６を貫通するように軸設された回転軸７ａと、回転軸７ａの内端側（フロントパネル６の裏面側）に固着された係止片７ｂとから構成されている。回転軸７ａは、フロントパネル６の表面側にノッチが穿設され、コイン等を用いて回転させることができるようになっており、係止片７ｂが垂直になった状態でその先端がフロントガイド８に穿設された長孔（図示せず）に係入してフロントパネル６を筐体１に係止し、係止片７ｂが水平になった状態でその先端がフロントガイド８に穿設された長孔（図示せず）から離脱してフロントパネル６の筐体１への係止を解除する。
【００２０】
電気集塵ユニット１１は、主に、空気中の塵埃等の微粒子に電荷を与える電極板（図示せず）と、帯電された微粒子を吸い寄せる多層集塵板（図示せず）とから構成されており、プレフィルタ５を通過した空気中の小さな塵埃を電気集塵する役目をする。特に、煙草の煙に含まれる灰粒子，タール粒子等を強力に吸い寄せて除去することができる。電気集塵ユニット１１は、フロントパネル６を取り外した状態で筐体１に対して容易に着脱可能になっていて、洗浄可能である。
【００２１】
光触媒脱臭ユニット１２は、主に、蛍光灯等でなる光脱臭ランプ（図示せず）と、光触媒フィルタ（図示せず）とから構成されており、電気集塵ユニット１１を通過した空気を光脱臭ランプからの光によって光触媒フィルタ中に含まれる光触媒を励起させて脱臭する役目をする。光触媒フィルタは、アナターゼ型の二酸化チタン（ＴｉＯ2 ）等の光触媒が塗布または含有されている部材でハニカム構造となるように形成されている。光触媒は、光脱臭ランプからの光（紫外線）によって励起されて、空気中の悪臭成分、特に煙草の煙に含まれる窒素酸化物，アンモニア，ニコチン，さらにはベンツピレン等の発癌性物質等の広範囲な物質を吸着して分解する役目をする。光触媒脱臭ユニット１２は、フロントパネル６を取り外した状態で筐体１に対して容易に着脱可能になっている。なお、光触媒フィルタは、触媒作用により脱臭するので半永久的に使用することが可能である。
【００２２】
送風機１３は、モータ（図示せず）および回転ファン（図示せず）を内蔵しており、吸込口３，プレフィルタ５，集塵ユニット１１，光触媒脱臭ユニット１２，および吹出口１４を通過する空気流を作り出す役目をする。
【００２３】
操作パネル１５には、図４に示すように、運転ボタン１５ａと、運転表示ランプ１５ｂと、風量ボタン１５ｃと、３つの風量表示ランプ１５ｄとが設けられている。運転ボタン１５ａは、運転のオン／オフを行い、押すたびに運転は、入→切→入を繰り返す。運転開始時には、運転ランプ１５ｂと風量表示ランプ１５ｄとが点灯し、数秒間だけ強運転した後に弱運転が始まるようになっている。また、風量ボタン１５ｃは、運転時の風量の切り換えを行い、押すたびに風量は、弱→中→強→弱を繰り返し、それぞれの風量に対応する風量表示ランプ１５ｄが点灯する。
【００２４】
次に、このように構成された本実施の形態に係る喫煙用空気清浄機の動作について説明する。
【００２５】
操作パネル１５の運転ボタン１５ａが押されて喫煙用空気清浄機が運転状態になると、送風機１３により吸込口３から筐体１内に煙草の煙を含む空気が吸い込まれ、筐体１内に吸い込まれた煙草の煙を含む空気は、まず、プレフィルタ５を通過して空気中の大きな塵埃を捕捉される。
【００２６】
次に、プレフィルタ５を通過した空気は、電気集塵ユニット１１を通過することにより、空気中の小さな塵埃を除去される。特に、煙草の煙に含まれる灰粒子，タール粒子等は、電極板（図示せず）により電荷を与えられ、多層集塵板（図示せず）により強力に吸い寄せられて除去される。
【００２７】
続いて、電気集塵ユニット１１を通過した空気は、光触媒脱臭ユニット１２を通過することにより、悪臭成分が吸着されて分解されることにより脱臭される。特に、煙草の煙に含まれる窒素酸化物，アンモニア，ニコチン，さらにはベンツピレン等の発癌性物質が光触媒フィルタを通過することにより光触媒に吸着され、光脱臭ランプからの光によって励起された光触媒フィルタ中の光触媒の分解作用によって分解される。
【００２８】
光触媒脱臭ユニット１２を通過して脱臭されたきれいな空気は、送風機１３から筐体１の背面下端部に穿設された吹出口１４から筐体１外に排出される。
【００２９】
ところで、通常の運転時等には、図１に示すように、パネルロック機構７の係止片７ｂが垂直になった状態でフロントガイド８に穿設された長孔に係入してフロントパネル６を筐体１に係止しており、使用者がフロントグリル４を上方に変位させて故意に外そうとしても、フロントグリル４の２本の垂直金属棒の下端部がフロントパネル６の上端面の後縁に当たり取り外すことができない。詳しくは、使用者がフロントグリル４を手に持って上方に変位させ、２本の垂直金属棒の下端部をフロントガイド８に穿設された穴から抜け出させたとしても、フロントパネル６の傾斜上端面の後縁に当たるので前方にフロントグリル４を引き出すことができないとともに、プレフィルタ５の切り欠かれた前縁両隅部に当たるので後方にフロントグリル４を押し込むこともできない。
【００３０】
メンテナンス時には、フロントパネル６の前面中央上端寄りに露呈する回転軸７ａをコイン等により９０度回転させると、係止片７ｂは水平位置へと回動変位しフロントガイド８に穿設された長孔から離脱してフロントパネル６の筐体１への係止が解除され、フロントパネル６を筐体１から取り外すことができる（図３参照）。フロントパネル６を取り外した状態では、電気集塵ユニット１１および光触媒脱臭ユニット１２の交換等のメンテナンスが可能となる
【００３１】
また、フロントパネル６を取り外した状態では、フロントグリル４を手で持って上に持ち上げると、フロントグリル４は上方に変位し、２本の垂直金属棒の下端部はフロントガイド８に穿設された穴から抜け出すことができる。したがって、さらにフロントグリル４を手前斜め下に向けて引き出せば、フロントグリル４の２本の垂直金属棒の上端部も吸込口３の傾斜開口上壁に穿設された穴から抜け出して、フロントグリル４を取り外すことができる。フロントグリル４を取り外した状態では、プレフィルタ５のメンテナンスが可能となる。
【００３２】
プレフィルタ５のメンテナンス終了後は、フロントグリル４を再び取り付け、フロントパネル６を筐体１に取り付けてパネルロック機構７により再びロックすればよい。
【００３３】
このように、フロントグリル４をメンテナンス時に開閉を行うフロントパネル６の奥の位置に設けることにより、通常の運転時等にはフロントパネル６が閉じているため、フロントグリル４を故意に外そうとしても、フロントグリル４の２本の垂直金属棒の下端部がフロントパネル６に当たり取り外すことができない。しかし、メンテナンス時には、フロントパネル６を開けて電気集塵ユニット１１および光脱臭ユニット１２の交換等を行うため、フロントグリル４を取り外すことが可能となり、プレフィルタ５のメンテナンスを行うことができる。
【００３４】
なお、本実施の形態では、パネルロック機構７をコイン等でロックできるようにしたが、鍵等を取り付けることにより、安全性をさらに高めることができる。
【００３５】
【発明の効果】
以上説明したように、本発明によれば、テーブルやカウンタとは別体でテーブルサイドやデスクサイドに設置して使用する十分な空気清浄機能を有する喫煙用空気清浄機を提供することができるという効果がある。
【００３６】
また、吸込口にプレフィルタを防護するように着脱可能に設けられたフロントグリルを筐体へのフロントパネルの装着に連動して取り外し不能となるようにしたので、フロントグリルが取り外されてプレフィルタにタバコの火が押し付けられたり、ゴミを投げ入れられたりすることがなくなるという効果がある。これにより、空気清浄機能の低下や、故障，発火の原因を未然に除去することができる。
【００３７】
さらに、運転時にフロントグリルが取り外されて、使用者がプレフィルタから筐体内部に手を入れて怪我をする等のおそれがなくなるという効果がある。
【図面の簡単な説明】
【図１】本発明の一実施の形態に係る喫煙用空気清浄機の側断面図である。
【図２】本実施の形態に係る喫煙用空気清浄機の正面斜視図である。
【図３】本実施の形態に係る喫煙用空気清浄機のフロントパネルを取り外した状態を示す正面図である。
【図４】本実施の形態に係る喫煙用空気清浄機の操作パネルを示す上面図である。
【図５】図１中のパネルロック機構を示す図であり、（ａ）は一部破砕上面図、（ｂ）は一部破砕背面図である。
【符号の説明】
１  筐体
１ａ，１ｂ  取手
２  スタンド
３  吸込口
４  フロントグリル
５  プレフィルタ
６  フロントパネル
７  パネルロック機構
７ａ  回転軸
７ｂ  係止片
８  フロントガイド
１１  電気集塵ユニット
１２  光触媒脱臭ユニット
１３  送風機
１４  吹出口
１５  操作パネル
１５ａ  運転ボタン
１５ｂ  運転表示ランプ
１５ｃ  風量ボタン
１５ｄ  風量表示ランプ
【図１】
0004308365.tif 000002
【図２】
0004308365.tif 000003
【図３】
0004308365.tif 000004
【図４】
0004308365.tif 000005
【図５】
0004308365.tif 000006